(57)【要約】【課題】契約している通信事業者の移動通信網３０内にいる場合に通信端末２０が受けられるサービスを、契約している通信事業者の移動通信網３０外にいる場合にも受けることができるようにすることができる通信システム１０を提供する。【解決手段】本発明の通信システム１０は、移動通信網３０とＩＰ網１３とを中継する中継システム４０を備え、中継システム４０は、通信端末２０の位置情報を当該通信端末２０の端末識別番号に対応付けて管理すると共に、通信端末２０の位置情報を、移動通信網３０内において属しているＢＴＳ３１の識別情報、または、グローバルＩＰアドレスおよびポート番号によって管理する。【選択図】図２
2007124108.tif 000002
【特許請求の範囲】
【請求項１】
移動通信網とＩＰ網とを中継する中継システムであって、
通信端末の端末識別番号を、当該通信端末が属している、前記移動通信網内の基地局の識別情報、あるいは、前記ＩＰ網内における前記通信端末のグローバルＩＰアドレスおよびポート番号に対応付けて格納するＬＲ（Ｌｏｃａｔｉｏｎ  Ｒｅｇｉｓｔｅｒ）と、
前記ＬＲおよび前記移動通信網内の基地局に接続されている交換局と、
前記交換局と前記ＩＰ網とを中継するＴＮＧＷ（Ｔｕｎｎｅｌｉｎｇ  Ｇａｔｅｗａｙ）と
を備え、
前記ＴＮＧＷは、
前記交換局から着信先の通信端末の端末識別番号と共に通信データを受け取った場合に、当該通信データをＩＰパケットにカプセル化し、カプセル化したデータを、前記ＬＲを参照して取得した着信先の通信端末の端末識別番号に対応するグローバルＩＰアドレスおよびポート番号へ送信し、
カプセル化されたデータを前記ＩＰ網を介して受け取った場合に、当該データのカプセル化を解除して、着信先の通信端末の端末識別番号および通信データを取り出し、取り出した着信先の通信端末の端末識別番号および通信データを前記交換局へ送信し、
前記交換局は、
前記移動通信網内の基地局を介して通信端末から通信データを受け付けた場合に、前記ＬＲを参照して、
当該通信端末の端末識別番号が基地局の識別情報に対応付けられて前記ＬＲに格納されているときには、受け付けた通信データを、当該識別情報に対応する基地局へ中継し、
当該通信端末の端末識別番号がグローバルＩＰアドレスおよびポート番号に対応付けられて前記ＬＲに格納されているときには、受け付けた通信データを前記ＴＮＧＷへ転送し、
前記ＴＮＧＷを介して前記ＩＰ網内の通信端末から通信データを受け付けた場合に、前記ＬＲを参照して、
当該通信端末の端末識別番号が基地局の識別情報に対応付けられて前記ＬＲに格納されているときには、受け付けた通信データを、当該識別情報に対応する基地局へ中継し、
当該通信端末の端末識別番号がグローバルＩＰアドレスおよびポート番号に対応付けられて前記ＬＲに格納されているときには、受け付けた通信データを前記ＴＮＧＷへ中継すること
を特徴とする中継システム。
【請求項２】
請求項１に記載の中継システムであって、
前記交換局は、
ＰＳＴＮ（Ｐｕｂｌｉｃ  Ｓｗｉｔｃｈｅｄ  Ｔｅｌｅｐｈｏｎｅ  Ｎｅｔｗｏｒｋｓ）にさらに接続されており、着信先の通信端末が属している基地局の識別情報、または、着信先の通信端末のグローバルＩＰアドレスおよびポート番号が前記ＬＲ内に存在しない場合に、受け付けた通信データを前記ＰＳＴＮへ中継すること
を特徴とする中継システム。
【請求項３】
請求項１または２に記載の中継システムであって、
前記ＬＲは、
前記移動通信網内の通信端末の端末識別番号を、当該通信端末が属している、前記移動通信網内の基地局の識別情報に対応付けて格納するＨＬＲ（Ｈｏｍｅ  Ｌｏｃａｔｉｏｎ  Ｒｅｇｉｓｔｅｒ）と、
前記ＩＰ網内における前記通信端末のグローバルＩＰアドレスおよびポート番号を、前記通信端末の端末識別番号に対応付けて格納するＴＬＲ（Ｔｕｎｎｅｌｉｎｇ  Ｌｏｃａｔｉｏｎ  Ｒｅｇｉｓｔｅｒ）と
を有し、
前記交換局は、
通信端末の端末識別番号に対応する基地局の識別情報、または、ＩＰアドレスおよびポート番号を取得する場合に、前記ＨＬＲを先に参照し、前記ＨＬＲ内に対応する基地局の識別情報が格納されていないときに、前記ＴＬＲを参照すること
を特徴とする中継システム。
【請求項４】
請求項１から３のいずれかに記載の中継システムであって、
前記ＴＮＧＷは、
カプセル化した通信データを前記ＩＰ網へ送信する場合に、当該カプセル化した通信データを暗号化して送信すること
を特徴とする中継システム。
【請求項５】
特定の移動通信網において規定されている呼制御手順を実行する呼制御手段と、
前記呼制御手段により確立された呼を介して通信相手の通信端末との間でデータ通信を行うデータ通信手段と、
前記呼制御手段が生成した呼制御データおよび前記データ通信手段が生成した通信データを、ＩＰパケットにカプセル化するカプセル化手段と、
前記カプセル化された呼制御データおよび通信データを、ＩＰ網を介して前記特定の移動通信網内の交換局へ送信する通信手段と
を備えることを特徴とする通信端末。
【発明の詳細な説明】
【技術分野】
【０００１】
本発明は、移動通信網とＩＰ網とを中継する技術に関する。
【背景技術】
【０００２】
従来の移動無線通信では、契約している通信事業者のサービス提供地域外でも、当該通信事業者と提携している他の通信事業者のサービス提供地域の設備を利用して、契約している通信事業者のサービスを受けられるようにするローミングサービスが知られている。ローミングサービスを利用すると、海外や国内でのサービス提供地域外でも、現地の通信事業者の設備を使用して、契約通信事業者のサービス提供地域で使用していたものと同一の端末識別番号で、音声やショートメッセージ（ＳＭＳ）の発信や着信等のサービスを受けることができる。
【０００３】
ローミングサービスを利用するためには、ユーザの端末は、ローミングサービスを提供する側の通信事業者が規定する規格、機能、性能等に適合している必要がある。しかし、ユーザが移動した先が、そのようなサービスを提供している通信事業者のサービス提供地域内でない場合がある。これを回避するための技術として、特許文献１には、契約している通信事業者のサービス提供地域外で、ローミングサービスを用いることなく通信を行う技術について記載されている。本特許文献に記載の技術は、契約している通信事業者のサービス提供地域内において稼動していない通信端末を一時的に中継器として使用し、中継器として使用された通信端末の近隣の基地局と接続するものである。
【０００４】
【特許文献１】特開平７−２４５５８１号公報
【発明の開示】
【発明が解決しようとする課題】
【０００５】
ところで、上記の特許文献１に記載の技術は、基地局と通信が可能な中継器が、中継を依頼しようとしている通信端末の電波が届く範囲内に存在しなければならない。しかし、通信端末の近傍に中継器として動作する通信端末が存在するとは限らず、そのような通信端末が存在しない場合には、やはり、通信端末は、契約している通信事業者のサービス提供地域外で通信を行うことができないという問題がある。例えば、日本の通信事業者と契約している通信端末を、海外で使用する場合には、上記特許文献１に記載された技術を用いても、通信を行うことはできない。
【０００６】
また、ローミングサービスを利用して通信を行う場合、通信端末は、ローミングサービスを提供している他の通信事業者が、ローミングサービスとして提供する範囲内のサービスしか受けられない。例えば、音声通話の発信・着信の他に、ショートメッセージサービスや発信者番号通知等のサービスを、日本国内で受けることができる通信端末を、海外で使用する場合、現地の通信事業者がローミングサービスとして、音声通話の発信・着信のみを提供する場合が考えられる。これにより、通信端末のユーザは不便を強いられる場合があった。
【０００７】
本発明は上記事情を鑑みてなされたものであり、本発明の目的は、契約している通信事業者のサービス提供地域内にいる場合に受けられるサービスを、契約している通信事業者のサービス提供地域以外にいる場合にも受けることができるようにすることにある。
【課題を解決するための手段】
【０００８】
上記課題を解決するために、本発明の中継システムは、通信端末の位置情報を当該通信端末の端末識別番号に対応付けて管理すると共に、当該通信端末の位置情報を、移動通信網内において属している基地局の識別情報、または、グローバルＩＰアドレスおよびポート番号で管理する。
【０００９】
例えば、本発明の第１の態様は、移動通信網とＩＰ網とを中継する中継システムであって、通信端末の端末識別番号を、当該通信端末が属している、移動通信網内の基地局の識別情報、あるいは、ＩＰ網内における通信端末のグローバルＩＰアドレスおよびポート番号に対応付けて格納するＬＲ（Ｌｏｃａｔｉｏｎ  Ｒｅｇｉｓｔｅｒ）と、ＬＲおよび移動通信網内の基地局に接続されている交換局と、交換局とＩＰ網とを中継するＴＮＧＷ（Ｔｕｎｎｅｌｉｎｇ  Ｇａｔｅｗａｙ）とを備え、ＴＮＧＷは、交換局から着信先の通信端末の端末識別番号と共に通信データを受け取った場合に、当該通信データをＩＰパケットにカプセル化し、ＬＲを参照して取得した着信先の通信端末の端末識別番号に対応するグローバルＩＰアドレスおよびポート番号へカプセル化したデータを送信し、ＩＰ網からカプセル化されたデータを受け取った場合に、当該データのカプセル化を解除して、着信先の通信端末の端末識別番号および通信データを取り出し、取り出した着信先の通信端末の端末識別番号および通信データを交換局へ送信し、交換局は、移動通信網内の基地局を介して通信端末から通信データを受け付けた場合に、ＬＲを参照して、当該通信端末の端末識別番号が基地局の識別情報に対応付けられてＬＲに格納されているときには、受け付けた通信データを、当該識別情報に対応する基地局へ中継し、当該通信端末の端末識別番号がグローバルＩＰアドレスおよびポート番号に対応付けられてＬＲに格納されているときには、受け付けた通信データをＴＮＧＷへ転送し、ＴＮＧＷを介してＩＰ網内の通信端末から通信データを受け付けた場合に、ＬＲを参照して、当該通信端末の端末識別番号が基地局の識別情報に対応付けられてＬＲに格納されているときには、受け付けた通信データを、当該識別情報に対応する基地局へ中継し、当該通信端末の端末識別番号がグローバルＩＰアドレスおよびポート番号に対応付けられてＬＲに格納されているときには、受け付けた通信データをＴＮＧＷへ中継することを特徴とする中継システムを提供する。
【００１０】
また、本発明の第２の態様は、特定の移動通信網において規定されている呼制御手順を実行する呼制御手段と、呼制御手段により確立された呼を介して通信相手の通信端末との間でデータ通信を行うデータ通信手段と、呼制御手段が生成した呼制御データおよびデータ通信手段が生成した通信データを、ＩＰパケットにカプセル化するカプセル化手段と、カプセル化された呼制御データおよび通信データを、ＩＰ網を介して特定の移動通信網内の交換局へ送信する通信手段とを備えることを特徴とする通信端末を提供する。
【発明の効果】
【００１１】
本発明によれば、契約している通信事業者のサービス提供地域内にいる場合に受けられるサービスを、契約している通信事業者のサービス提供地域以外にいる場合にも受けることができる。
【発明を実施するための最良の形態】
【００１２】
以下に、本発明の実施の形態について、図面を参照しながら説明する。
【００１３】
図１は、本発明の一実施形態に係る通信システム１０の構成を示す。通信システム１０は、移動通信網３０、中継システム４０、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）１２、ＩＰ網１３、および複数の通信端末２０を備える。
【００１４】
移動通信網３０は、所定の通信事業者が管理しており、複数のＢＴＳ（Ｂａｓｅ  Ｔｒａｎｓｃｅｉｖｅｒ  Ｓｔａｔｉｏｎ）３１および複数のＢＳＣ（Ｂａｓｅ  Ｓｔａｔｉｏｎ  Ｃｏｎｔｒｏｌｌｅｒ）３２を有する。複数のＢＴＳ３１のそれぞれは、移動通信網３０を管理している当該通信事業者が採用している移動無線方式を用いて、配下の通信端末２０と無線通信を行う。複数のＢＳＣ３２のそれぞれは、１つ以上のＢＴＳ３１を管理する。
【００１５】
中継システム４０は、移動通信網３０、ＰＳＴＮ１２、またはＩＰ網１３を介して発信要求を送信してきた通信端末２０を認証する。そして、認証に成功した場合に、中継システム４０は、当該発信要求に含まれる着信先の端末識別番号に基づいて、着信先が属している移動通信網３０、ＰＳＴＮ１２、またはＩＰ網１３へ、当該発信要求を転送することにより、発信元の通信端末２０と着信先の通信端末２０あるいは電話機１１とを中継する。
【００１６】
図２は、中継システム４０の詳細な構成の一例を示す。中継システム４０は、ＭＳＣ（移動通信交換局：Ｍｏｂｉｌｅ  Ｓｗｉｔｃｈｉｎｇ  Ｃｅｎｔｅｒ）４１、ＡｕＣ（認証局：Ａｕｔｈｅｎｔｉｃａｔｉｏｎ  Ｃｅｎｔｅｒ）４２、ＥＩＲ（機器識別局：Ｅｑｕｉｐｍｅｎｔ  Ｉｄｅｎｔｉｔｙ  Ｒｅｇｉｓｔｅｒ）４３、ＶＬＲ（Ｖｉｓｉｔｏｒ  Ｌｏｃａｔｉｏｎ  Ｒｅｇｉｓｔｅｒ）４４、ＨＬＲ（Ｈｏｍｅ  Ｌｏｃａｔｉｏｎ  Ｒｅｇｉｓｔｅｒ）４５、ＴＬＲ（Ｔｕｎｎｅｌｉｎｇ  Ｌｏｃａｔｉｏｎ  Ｒｅｇｉｓｔｅｒ）４６、およびＴＮＧＷ（Ｔｕｎｎｅｌｉｎｇ  Ｇａｔｅｗａｙ）４７を備える。
【００１７】
ＡｕＣ４２は、認証情報を管理しており、ＭＳＣ４１から通信端末２０の認証を指示された場合に、当該通信端末２０を認証し、認証結果をＭＳＣ４１へ返す。ＥＩＲ４３は、通信端末２０の端末識別番号を管理しており、ＭＳＣ４１から通信端末２０の端末識別番号の検査を依頼された場合に、当該端末識別番号が正当なものであるか否かを判定し、判定結果をＭＳＣ４１へ返す。
【００１８】
ＨＬＲ４５は、通信端末２０の位置情報や当該通信端末２０が契約しているサービス種別等の情報を管理している。ＶＬＲ４４は、他の通信事業者の移動通信網３０に属している通信端末２０が、ローミング先として移動通信網３０を利用する場合に、当該通信端末２０の位置情報や提供可能なサービス種別等の情報を格納する。本例において、ＶＬＲ４４およびＨＬＲ４５は、通信端末２０の位置情報を、当該通信端末２０が属しているＢＴＳ３１の識別情報によって管理している。
【００１９】
ＴＬＲ４６は、ＩＰ網１３内の通信端末２０の位置情報を管理している。本実施形態において、ＴＬＲ４６は、通信端末２０のグローバルＩＰアドレスおよびポート番号を通信端末２０の端末識別番号に対応付けて格納している。
【００２０】
ＴＮＧＷ４７は、ＭＳＣ４１から着信先の通信端末２０の端末識別番号と共に通信データを受け取った場合に、当該通信データをＩＰパケットにカプセル化する。そして、ＴＮＧＷ４７は、ＴＬＲ４６を参照して、着信先の通信端末２０の端末識別番号に対応するグローバルＩＰアドレスおよびポート番号をＴＬＲ４６から取得し、取得した着信先へ、カプセル化したデータを、ＩＰ網１３を介して送信する。
【００２１】
また、ＴＮＧＷ４７は、ＩＰ網１３からカプセル化されたデータを受け取った場合に、当該データのカプセル化を解除して、着信先の通信端末２０の端末識別番号および通信データを取り出す。そして、ＴＮＧＷ４７は、取り出した着信先の通信端末２０の端末識別番号および通信データをＭＳＣ４１へ送信する。
【００２２】
なお、ＴＮＧＷ４７は、ＩＰ網１３にカプセル化した通信データを送信する場合に、通信データの秘匿化のために暗号化することが好ましい。
【００２３】
ＭＳＣ４１は、ＰＳＴＮインターフェイス４１１、主制御部４１２、スイッチ４１３、ＩＰ網インターフェイス４１４、および複数の移動無線網インターフェイス４１０を有する。
【００２４】
主制御部４１２は、ＰＳＴＮインターフェイス４１１、ＩＰ網インターフェイス４１４、および複数の移動無線網インターフェイス４１０のいずれかを介して通信端末２０から発信要求を受け付けた場合に、当該発信を要求した通信端末２０をＡｕＣ４２に認証させると共に、当該発信を要求した通信端末２０の端末識別番号をＥＩＲ４３に検証させる。
【００２５】
そして、認証に成功すると共に正当な端末識別番号であると判定された場合に、主制御部４１２は、ＶＬＲ４４およびＨＬＲ４５を参照して、当該発信要求の相手である着信先の通信端末２０が属する移動通信網３０内のＢＴＳ３１の識別情報を検索する。着信先の通信端末２０が属するＢＴＳ３１の識別情報がＶＬＲ４４またはＨＬＲ４５内に存在する場合、主制御部４１２は、当該ＢＴＳ３１を管理しているＢＳＣ３２へ発信要求を転送すると共に、スイッチ４１３を制御して、発信元の通信端末２０からの発信要求を受け付けたインターフェイスと、着信先の通信端末２０が属するＢＴＳ３１への移動無線網インターフェイス４１０と接続することにより、発信元の通信端末２０と着信先の通信端末２０との中継を開始する。
【００２６】
また、着信先の通信端末２０が属するＢＴＳ３１の識別情報がＶＬＲ４４およびＨＬＲ４５内に存在しない場合、主制御部４１２は、ＴＬＲ４６を参照して、着信先の通信端末２０に対応するグローバルＩＰアドレスおよびポート番号を検索する。着信先の通信端末２０に対応するグローバルＩＰアドレスおよびポート番号がＴＬＲ４６内に存在する場合、主制御部４１２は、受け付けた発信要求をＩＰ網インターフェイス４１４を介してＴＮＧＷ４７へ転送して、ＴＮＧＷ４７に、当該発信要求を、ＩＰ網１３を介して着信先の通信端末２０へ転送させると共に、スイッチ４１３を制御して、発信元の通信端末２０からの発信要求を受け付けたインターフェイスと、ＩＰ網インターフェイス４１４とを接続することにより、発信元の通信端末２０と着信先の通信端末２０との中継を開始する。
【００２７】
また、着信先の通信端末２０の位置情報が、ＶＬＲ４４、ＨＬＲ４５、およびＴＬＲ４６のいずれにも存在しない場合、主制御部４１２は、受け付けた発信要求を、ＰＳＴＮインターフェイス４１１を介してＰＳＴＮ１２に転送すると共に、スイッチ４１３を制御して、発信元の通信端末２０からの発信要求を受け付けたインターフェイスと、ＰＳＴＮインターフェイス４１１とを接続することにより、発信元の通信端末２０と着信先の電話機１１との中継を開始する。
【００２８】
なお、主制御部４１２は、複数の移動無線網インターフェイス４１０のいずれかを介して通信端末２０から位置登録を受け付けた場合には、当該位置登録を送信した通信端末２０の端末識別番号に対応付けてＶＬＲ４４またはＨＬＲ４５に位置情報を格納する。また、ＩＰ網インターフェイス４１４を介して通信端末２０から位置登録を受け付けた場合には、主制御部４１２は、当該位置登録を送信した通信端末２０の端末識別番号に対応付けてＴＬＲ４６に位置情報を格納する。
【００２９】
図３は、ＨＬＲ４５によって管理されているデータの構造の一例を示す。ＨＬＲ４５は、通信端末２０の位置情報４５１を、それぞれの通信端末２０を識別する端末識別番号４５０に対応付けて格納する。本例において、ＨＬＲ４５は、当該通信端末２０が属しているＢＴＳ３１の識別情報を、通信端末２０の位置情報４５１として格納している。ＨＬＲ４５を参照することにより、主制御部４１２は、着信先の通信端末２０が属するＢＴＳ３１の識別情報を、着信先の通信端末２０の位置情報として取得することができる。
【００３０】
なお、位置情報４５１として、Ｎ／Ａ（Ｎｏｔ  Ａｐｐｌｉｃａｂｌｅ）が設定されている場合、当該位置情報４５１に対応する端末識別番号４５０の通信端末２０は、移動通信網３０内のいずれのＢＴＳ３１にも属していないことを示す。
【００３１】
また、ＨＬＲ４５は、移動通信網３０を管理している通信事業者と契約している通信端末２０の情報を管理しており、これ以外に、それぞれの通信端末２０が契約しているサービス種別を示す情報を、それぞれの端末識別番号４５０に対応付けて格納してもよい。また、ＶＬＲ４４は、他の通信事業者の移動通信網３０に属している通信端末２０が、ローミング先として移動通信網３０を利用する場合に、当該通信端末２０の位置情報等を格納するものであり、管理しているデータの構造としては、図３に示したものと同様である。
【００３２】
図４は、ＴＬＲ４６によって管理されているデータの構造の一例を示す。ＴＬＲ４６は、通信端末２０のグローバルＩＰアドレス４６１およびポート番号４６２を、それぞれの通信端末２０を識別する端末識別番号４６０に対応付けて格納する。ＴＬＲ４６を参照することにより、ＴＮＧＷ４７は、着信先の通信端末２０の端末識別番号に対応するグローバルＩＰアドレスおよびポート番号を取得することができる。
【００３３】
図５は、通信端末２０の構成の一例を示す。通信端末２０は、アンテナ２１、ＩＰ網通信部２２、無線通信部２３、カプセル化部２４、入力部２５、セレクタ２６、呼制御部２７、データ通信部２８、および加入者識別モジュール２９を有する。
【００３４】
加入者識別モジュール２９は、例えばＳＩＭ（Ｓｕｂｓｃｒｉｂｅｒ  Ｉｄｅｎｔインターフェイスｙ  Ｍｏｄｕｌｅ）カード等であり、通信端末２０が正当な加入者の端末であることを示す情報や、認証に必要なデータ、端末識別番号等を格納している。
【００３５】
呼制御部２７は、加入者識別モジュール２９に格納された情報を用いて、他の通信端末２０へ発信処理を行ったり、他の通信端末２０から受けた発信要求を処理したりする呼制御処理を行う。データ通信部２８は、呼制御部２７によって確立された呼を介してデータを送受信する。
【００３６】
無線通信部２３は、移動通信網３０を管理している通信事業者が採用している移動無線方式を用いて、セレクタ２６を介して受け取った呼制御データや通信データを、アンテナ２１を介してＢＴＳ３１へ送信すると共に、移動通信網３０内のＢＴＳ３１からアンテナ２１を介して受信した呼制御データまたは通信データをセレクタ２６を介して呼制御部２７またはデータ通信部２８へ送る。
【００３７】
カプセル化部２４は、セレクタ２６を介して受け取った呼制御データや通信データを、ＩＰパケットにカプセル化して、ＩＰ網通信部２２を介してＩＰ網１３へ送信する。また、カプセル化部２４は、カプセル化されたデータを、ＩＰ網通信部２２を介してＩＰ網１３から受信し、受信したデータのカプセル化を解除して呼制御データまたは通信データを取り出し、取り出した呼制御データまたは通信データをセレクタ２６を介して呼制御部２７またはデータ通信部２８へ送る。
【００３８】
ＩＰ網通信部２２は、カプセル化部２４によってカプセル化されたデータを、ＩＰ網１３を介して中継システム４０へ送信すると共に、カプセル化されたデータをＩＰ網１３を介して中継システム４０から受信してカプセル化部２４へ送る。
【００３９】
セレクタ２６は、入力部２５を介して通信端末２０のユーザから指示を受け付け、受け付けた指示に応じて、呼制御部２７およびデータ通信部２８が送受信するデータを、無線通信部２３またはカプセル化部２４に中継させる。
【００４０】
上記の構成により、通信端末２０は、移動通信網３０のサービス地域内にいる場合には、セレクタ２６によって、呼制御部２７およびデータ通信部２８が送受信するデータを、無線通信部２３に中継させることにより、移動通信網３０の通信事業者が提供するサービスを受けることができ、移動通信網３０のサービス地域外にいる場合には、セレクタ２６によって、呼制御部２７およびデータ通信部２８が送受信するデータを、カプセル化部２４に中継させることにより、移動通信網３０の通信事業者が提供するサービスを受けることができる。
【００４１】
図６は、ＩＰ網１３を介して通信端末２０が位置登録を行う場合の中継システム４０のシーケンスを示す。なお、本図に示すシーケンスに先立って、セレクタ２６は、入力部２５を介して通信端末２０のユーザから、呼制御部２７およびデータ通信部２８が送受信するデータを、カプセル化部２４に中継させる旨の指示を受け付けているものとする。
【００４２】
まず、呼制御部２７は、加入者識別モジュール２９に格納された認証情報を含む呼制御データを生成し、セレクタ２６を介してカプセル化部２４へ送る。カプセル化部２４は、受け取ったデータをカプセル化し、ＩＰ網通信部２２およびＩＰ網１３を介してＴＮＧＷ４７へ送信する（Ｓ１００）。
【００４３】
ＴＮＧＷ４７は、受け取ったデータのカプセル化を解除して、認証情報を含む呼制御データを取り出す。そして、カプセル化されたデータに付加されている、送信元のグローバルＩＰアドレスおよびポート番号と共に、認証情報を含む呼制御データをＭＳＣ４１へ送信する（Ｓ１０１）。
【００４４】
ＭＳＣ４１は、ＴＮＧＷ４７から受け取ったグローバルＩＰアドレスおよびポート番号をＴＬＲ４６に送り（Ｓ１０２）、ＴＬＲ４６は、受け取ったグローバルＩＰアドレスおよびポート番号を格納する（Ｓ１０３）。ステップ１０２において、ＭＳＣ４１内の主制御部４１２は、ＩＰ網インターフェイス４１４を介してデータを受け取ることにより、当該データがＩＰ網１３を介して送信されたことを認識する。
【００４５】
次に、ＭＳＣ４１は、認証情報をＡｕＣ４２へ送信し（Ｓ１０４）、ＡｕＣ４２は、受け取った認証情報に基づいて認証処理を行う（Ｓ１０５）。認証に成功した場合、ＡｕＣ４２は、認証に成功した旨をＭＳＣ４１へ返信する（Ｓ１０６）。
【００４６】
次に、ＭＳＣ４１は、認証情報をＥＩＲ４３へ送信し（Ｓ１０７）、ＥＩＲ４３は、受け取った認証情報に含まれる、通信端末２０の端末識別番号の検証を行う（Ｓ１０８）。端末識別番号を検証できた場合、ＡｕＣ４２は、検証に成功した旨をＭＳＣ４１へ返信する（Ｓ１０９）。
【００４７】
次に、ＭＳＣ４１は、認証情報に含まれる端末識別番号をＨＬＲ４５へ送る（Ｓ１１０）。このとき、ＭＳＣ４１は、当該端末識別番号が、ＩＰ網１３を介して送信されたものである旨をＨＬＲ４５に通知する。ＨＬＲ４５は、受け取った端末識別番号の位置情報を、移動通信網３０内に存在しない旨（図３に示したＮ／Ａ）に変更する（Ｓ１１１）。
【００４８】
次に、ＭＳＣ４１は、端末識別番号をＴＬＲ４６へ送信する（Ｓ１１２）。そして、ＴＬＲ４６は、受信した端末識別番号に対応付けて、ステップ１０３で受信したグローバルＩＰアドレスおよびポート番号を格納する（Ｓ１１３）。
【００４９】
次に、ＭＳＣ４１は、位置登録が正常に完了した旨を示すデータをＴＮＧＷ４７へ送信し、ＴＮＧＷ４７は、受け取ったデータをカプセル化してＩＰ網１３を介して通信端末２０へ送信する（Ｓ１１５）。
【００５０】
図７は、移動通信網３０内の通信端末２０ａがＩＰ網１３に接続された通信端末２０ｂへ発信を行う場合の中継システム４０のシーケンスを示す。
【００５１】
まず、通信端末２０ａは、発信元の通信端末２０ａおよび着信先の通信端末２０ｂの端末識別番号を含む発信要求を、ＢＴＳ３１を介してＭＳＣ４１へ送信する（Ｓ２００）。なお、発信要求は、通信端末２０内の呼制御部２７によって生成される呼制御データの一つである。
【００５２】
ＭＳＣ４１は、発信元の通信端末２０ａおよび着信先の通信端末２０ｂの端末識別番号をＨＬＲ４５へ送信する（Ｓ２０１）。このとき、ＭＳＣ４１内の主制御部４１２は、移動無線網インターフェイス４１０を介してデータを受け取ることにより、当該データが移動通信網３０を介して送信されたことを認識する。
【００５３】
ＨＬＲ４５は、発信元の通信端末２０ａおよび着信先の通信端末２０ｂの端末識別番号を受信して、対応する位置情報が格納されているか否かを判定する（Ｓ２０２）。本例では、発信元の通信端末２０ａの端末識別番号は、対応するＢＴＳ３１の識別情報と共にＨＬＲ４５に格納されているが、着信先の通信端末２０ｂの端末識別番号に対応する位置情報は、ＨＬＲ４５に格納されておらず、ＴＬＲ４６に格納されているものとする。
【００５４】
ＨＬＲ４５は、着信先の通信端末２０ｂの端末識別番号に対応する位置情報が存在しない旨をＭＳＣ４１へ通知する（Ｓ２０３）。ＭＳＣ４１は、着信先の通信端末２０ａの端末識別番号をＴＬＲ４６に送信する（Ｓ２０４）。ＴＬＲ４６は、受信した端末識別番号に対応する位置情報を検索し（Ｓ２０５）、当該位置情報が存在する旨をＭＳＣ４１に通知する（Ｓ２０６）。
【００５５】
次に、ＭＳＣ４１は、発信要求をＴＮＧＷ４７に送信する（Ｓ２０７）。ＴＮＧＷ４７は、受信した発信要求に含まれる、着信先の通信端末２０ｂの端末識別番号をＴＬＲ４６に照会させることにより、当該端末識別番号に対応するグローバルＩＰアドレスおよびポート番号をＴＬＲ４６から取得する（Ｓ２０８）。そして、ＴＮＧＷ４７は、ＭＳＣ４１から取得した発信要求をＩＰパケットにカプセル化して、ＴＬＲ４６から取得したグローバルＩＰアドレスおよびポート番号宛に、ＩＰ網１３を介して送信する。
【００５６】
着信先の通信端末２０ｂは、ＩＰ網１３を介して受信したデータのカプセル化を解除して、発信要求を取得し、予め定められた呼制御手順に従って着信許可応答を生成する。そして、通信端末２０は、生成した着信許可応答をＩＰパケットにカプセル化して、ＩＰ網１３を介してＴＮＧＷ４７へ送信する（Ｓ２１０）。ＴＮＧＷ４７は、受け取ったデータのカプセル化を解除してＭＳＣ４１へ送る（Ｓ２１１）。そして、ＭＳＣ４１は、受け取った着信許可応答を、移動通信網３０を介して通信端末２０ａへ転送して（Ｓ２１２）、通信端末２０ａと通信端末２０ｂとの通信を開始させる（Ｓ２１３）。
【００５７】
図８は、通信端末２０ｂがＩＰ網１３を介して移動通信網３０内の通信端末２０ａへ発信を行う場合の中継システム４０のシーケンスを示す。
【００５８】
まず、通信端末２０ｂの呼制御部２７は、発信元の通信端末２０ａおよび着信先の通信端末２０ｂの端末識別番号を含む発信要求を生成し、セレクタ２６を介してカプセル化部２４へ送る。カプセル化部２４は、受け取ったデータをカプセル化し、ＩＰ網通信部２２およびＩＰ網１３を介してＴＮＧＷ４７へ送信する（Ｓ３００）。
【００５９】
ＴＮＧＷ４７は、受け取ったデータのカプセル化を解除して、発信要求を取り出す。そして、カプセル化されたデータに付加されている、送信元のグローバルＩＰアドレスおよびポート番号と共に、発信要求をＭＳＣ４１へ送信する（Ｓ３０１）。
【００６０】
ＭＳＣ４１は、ＴＮＧＷ４７から受け取ったグローバルＩＰアドレスおよびポート番号をＴＬＲ４６に送る（Ｓ３０２）。ＴＬＲ４６は、受け取ったグローバルＩＰアドレスおよびポート番号に対応する端末識別番号を検索して、位置登録されている通信端末２０からの発信要求であるか否かを判定する（Ｓ３０３）。そして、ＴＬＲ４６は、発信元の通信端末２０ｂの端末識別番号が格納されている旨をＭＳＣ４１に通知する（Ｓ３０４）。
【００６１】
次に、ＭＳＣ４１は、発信要求に含まれる、着信先の通信端末２０ａの端末識別情報をＨＬＲ４５へ送信する（Ｓ３０５）。ＨＬＲ４５は、受信した端末識別番号に対応付けられている位置情報を検索し（Ｓ３０６）、着信先の通信端末２０ａが属しているＢＴＳ３１の識別情報をＭＳＣ４１に送信する（Ｓ３０７）。
【００６２】
次に、ＭＳＣ４１は、ＨＬＲ４５から受信したＢＴＳ３１の識別情報に基づいて、対応するＢＴＳ３１を介して、着信先の通信端末２０ａへ発信要求を送信する（Ｓ３０８）。着信先の通信端末２０ａは、自身が所属しているＢＴＳ３１を介して発信要求を受信し、予め定められた呼制御手順に従って着信許可応答を生成する。そして、通信端末２０ａは、生成した着信許可応答をＢＴＳ３１を介してＭＳＣ４１へ送信する（Ｓ３０９）。
【００６３】
ＭＳＣ４１は、受け取った着信許可応答を、ＴＮＧＷ４７へ転送する（Ｓ３１０）。そして、ＴＮＧＷ４７は、受け取った着信許可応答をＩＰパケットにカプセル化する。そして、ＴＮＧＷ４７は、カプセル化した着信許可応答をＩＰ網１３を介して発信元の通信端末２０ａへ送信し（Ｓ３１１）、通信端末２０ａと通信端末２０ｂとの通信を開始させる（Ｓ３１２）。
【００６４】
以上、本発明の実施の形態について説明した。
【００６５】
上記説明から明らかなように、本発明の中継システム４０によれば、契約している通信事業者の移動通信網３０内にいる場合に通信端末２０が受けられるサービスを、契約している通信事業者の移動通信網３０外にいる場合にも受けることができるようにすることができる。
【００６６】
なお、本発明は上記の実施形態に限定されるものではなく、その要旨の範囲内で数々の変形が可能である。
【００６７】
例えば、上記本実施形態では、ＩＰ網１３を介して通信が可能な場所は、移動通信網３０において移動無線サービスが提供されている地域外である構成を例に説明したが、本発明はこれに限られず、ＩＰ網１３を介して通信が可能な場所が、移動通信網３０において移動無線サービスが提供されている地域内に存在する構成であってもよい。この場合、ＩＰ網１３を介して通信を行う通信端末２０が多いほど、移動通信網３０において使用される無線資源を少なくすることができる。これにより、より多くの無線チャネルを使用した大容量かつ高品質の無線通信サービスを、より安定的に提供することが可能となる。また、ＢＴＳ３１の設置数を少なくすることができ、設備コストを低減することも可能となる。
【００６８】
また、本実施形態の通信端末２０は、通信端末２０が契約している通信事業者の移動通信網３０と通信可能な無線通信部２３と、有線接続によりＩＰ網を介して通信可能なＩＰ網通信部２２とを有する構成を例に説明したが、本発明はこれに限られない。例えば、通信端末２０は、図９に示すように、通信端末２０が契約している通信事業者の移動通信網３０と通信可能な無線通信部２３を有さない構成とされてもよい。また、この場合、通信端末２０は、ＩＰ網通信部２２に代えて、無線ＬＡＮ等のグローバルＩＰアドレスが付与される無線通信方式に基づく無線通信を行う機能を有する構成とされてもよい。
【００６９】
また、本実施形態では、説明を簡単にするために、着信メロディー配信サービスやナビゲーションサービス等の付加サービスを提供するサーバについて触れていないが、これらのサーバが、移動通信網３０内のＢＳＣ３２やＭＳＣ４１等に接続されている構成においても本発明を適用することができる。
【００７０】
また、中継システム４０内のＴＮＧＷ４７に、移動通信網３０内の通信端末２０からＴＮＧＷ４７まで、およびＴＮＧＷ４７からＩＰ網１３を介して通信端末２０までの信号伝搬時間を測定する機能を持たせ、ＴＮＧＷ４７によって測定された遅延時間の値をそれぞれの通信端末２０の音声処理に利用することにより、音声の遠端反響による通話品質劣化を改善するように構成してもよい。これにより、従来のトレーニング信号を用いたエコーキャンセラよりも、より高い精度で通話品質劣化を改善することができる。
【図面の簡単な説明】
【００７１】
【図１】本発明の一実施形態に係る通信システム１０の構成を示す。
【図２】中継システム４０の詳細な構成の一例を示す。
【図３】ＨＬＲ４５によって管理されているデータの構造の一例を示す。
【図４】ＴＬＲ４６によって管理されているデータの構造の一例を示す。
【図５】通信端末２０の構成の一例を示す。
【図６】ＩＰ網１３を介して通信端末２０が位置登録を行う場合の中継システム４０のシーケンスを示す。
【図７】移動通信網３０内の通信端末２０ａがＩＰ網１３に接続された通信端末２０ｂへ発信を行う場合の中継システム４０のシーケンスを示す。
【図８】通信端末２０ｂがＩＰ網１３を介して移動通信網３０内の通信端末２０ａへ発信を行う場合の中継システム４０のシーケンスを示す。
【図９】通信端末２０の構成の他の例を示す。
【符号の説明】
【００７２】
１０・・・通信システム、１１・・・電話機、１２・・・ＰＳＴＮ、１３・・・ＩＰ網、２０・・・通信端末、２１・・・アンテナ、２２・・・ＩＰ網通信部、２３・・・無線通信部、２４・・・カプセル化部、２５・・・入力部、２６・・・セレクタ、２７・・・呼制御部、２８・・・データ通信部、２９・・・加入者識別モジュール、３０・・・移動通信網、３１・・・ＢＴＳ、３２・・・ＢＳＣ、４０・・・中継システム、４１・・・ＭＳＣ、４１０・・・移動無線網インターフェイス、４１１・・・ＰＳＴＮインターフェイス、４１２・・・主制御部、４１３・・・スイッチ、４１４・・・ＩＰ網インターフェイス、４２・・・ＡｕＣ、４３・・・ＥＩＲ、４４・・・ＶＬＲ、４５・・・ＨＬＲ、４５０・・・端末識別番号、４６０・・・端末識別番号、４５１・・・位置情報、４６・・・ＴＬＲ、４６１・・・グローバルＩＰアドレス、４６２・・・ポート番号、４７・・・ＴＮＧＷ
【図１】
2007124108.tif 000003
【図２】
2007124108.tif 000004
【図３】
2007124108.tif 000005
【図４】
2007124108.tif 000006
【図５】
2007124108.tif 000007
【図６】
2007124108.tif 000008
【図７】
2007124108.tif 000009
【図８】
2007124108.tif 000010
【図９】
2007124108.tif 000011